(57)【特許請求の範囲】
【請求項１】
容器開口頭部の外周ネジ部にキャップ内筒部の内周ネジ部が螺合し、前記ネジ部のねじ込み終端位置においてキャップのねじ込み装着が完了する容器のキャップ装置において、前記ネジ部のねじ込み終端位置の前位置において容器開口頭部の乗り越え突起をキャップ内筒部の乗り越え弾性脚部が乗り越えるクリック機構を設ける一方、容器開口頭部の外周に設けた容器密封部とキャップ内筒部に設けたキャップ密封部とが密封状態で接触する密封機構を設けたことを特徴とするクリックストップ機構を有する容器のキャップ装置。
【請求項２】
請求項１に記載のクリックストップ機構を有する容器のキャップ装置において、クリック機構を構成する容器開口頭部の乗り越え突起が、容器開口頭部の外周ネジ部の下方に設けてあると共に、キャップ内筒部の乗り越え弾性脚部がキャップ内筒部の内周ネジ部の下方に設けてあることを特徴とするクリックストップ機構を有する容器のキャップ装置。
【請求項３】
請求項１又は２に記載のクリックストップ機構を有する容器のキャップ装置において、密封機構を構成する容器開口頭部の外周に設けた容器密封部が容器開口頭部の外周ネジ部の上方に設けてあると共に、キャップ内筒部に設けたキャップ密封部がキャップ内筒部の内周ネジ部の上方に設けてあることを特徴とするクリックストップ機構を有する容器のキャップ装置。
【請求項４】
請求項１、２又は３に記載のクリックストップ機構を有する容器のキャップ装置において、クリック機構の乗り越え突起が、乗り越え手前側は突起頂部に向かう比較的緩やかな傾斜面からなり、頂部から先は比較的急な傾斜面からなることを特徴とするクリックストップ機構を有する容器のキャップ装置。
【請求項５】
請求項１乃至４のいずれかに記載のクリックストップ機構を有する容器のキャップ装置において、クリック機構の乗り越え突起の頂部に平坦部が設けてあることを特徴とするクリックストップ機構を有する容器のキャップ装置。
【請求項６】
請求項１乃至５のいずれかに記載のクリックストップ機構を有する容器のキャップ装置において、密封機構が、ねじ込み終端位置において、容器開口頭部の外周に設けた容器密封部とキャップ内筒部に設けたキャップ密封部とが密封状態で接触することを特徴とするクリックストップ機構を有する容器のキャップ装置。
【請求項７】
請求項１乃至６のいずれかに記載のクリックストップ機構を有する容器のキャップ装置において、密封機構が、前記乗り越え突起を乗り越え弾性脚部が乗り越える乗り越え位置からねじ込み終端位置に至る間のクリック回転完了位置において、容器開口頭部の外周に設けた容器密封部とキャップ内筒部に設けたキャップ密封部とが密封状態で接触することを特徴とするクリックストップ機構を有する容器のキャップ装置。
【請求項８】
請求項１乃至７のいずれかに記載のクリックストップ機構を有する容器のキャップ装置において、密封機構が、前記乗り越え突起を乗り越え弾性脚部が乗り越える乗り越え位置からねじ込み終端位置に至る区間の間、容器開口頭部の外周に設けた容器密封部とキャップ内筒部に設けたキャップ密封部とが密封状態で接触することを特徴とするクリックストップ機構を有する容器のキャップ装置。
【請求項９】
請求項１乃至８のいずれかに記載のクリックストップ機構を有する容器のキャップ装置において、密封機構が、ねじ込み終端位置からキャップを逆回転して前記乗り越え突起を乗り越え弾性脚部が逆に乗り越える位置までの間、容器開口頭部の外周に設けた容器密封部とキャップ内筒部に設けたキャップ密封部とが密封状態で接触することを特徴とするクリックストップ機構を有する容器のキャップ装置。
【請求項１０】
請求項１乃至９のいずれかに記載のクリックストップ機構を有する容器のキャップ装置において、クリック機構の前記乗り越え突起を乗り越え弾性脚部が乗り越える乗り越え位置が、乗り越え突起をその頂部に向かって登ることにより乗り越え弾性脚部に生じる乗り越え抵抗が失われる位置から始まることを特徴とするクリックストップ機構を有する容器のキャップ装置。
【請求項１１】
請求項１乃至１０のいずれかに記載のクリックストップ機構を有する容器のキャップ装置において、前記乗り越え突起を乗り越え弾性脚部が乗り越えてからキャップのクリック回転が終了する位置がネジ部のねじ込み終端位置であることを特徴とするクリックストップ機構を有する容器のキャップ装置。
【請求項１２】
請求項１乃至１１のいずれかに記載のクリックストップ機構を有する容器のキャップ装置において、ネジ部のねじ込み終端位置において容器開口にキャップ天板が当接することを特徴とするクリックストップ機構を有する容器のキャップ装置。
【請求項１３】
請求項１乃至１２のいずれかに記載のクリックストップ機構を有する容器のキャップ装置において、ネジ部のねじ込み終端位置において容器肩部にキャップスカート部が当接することを特徴とするクリックストップ機構を有する容器のキャップ装置。
【請求項１４】
請求項１乃至１３のいずれかに記載のクリックストップ機構を有する容器のキャップ装置において、密封機構が、容器開口頭部の外周に設けた容器密封部とキャップ内筒部に設けたキャップ密封部とのいずれか一方が相手方よりも断面形状において曲率半径の小さい凸状面で相手方に突出して密封状態で接触することを特徴とするクリックストップ機構を有する容器のキャップ装置。
【請求項１５】
請求項１乃至１４のいずれかに記載のクリックストップ機構を有する容器のキャップ装置のネジ部が多条ネジであることを特徴とするクリックストップ機構を有する容器のキャップ装置。
【請求項１６】
請求項１乃至１５のいずれかに記載のクリックストップ機構を有する容器のキャップ装置において、キャップのねじ込み装着が回転角度３６０度以内の角度で完了することを特徴とするクリックストップ機構を有する容器のキャップ装置。
【請求項１７】
請求項１乃至１６のいずれかに記載のクリックストップ機構を有する容器のキャップ装置において、容器開口頭部の外周ネジ部にキャップのねじ込み装着が回転角度１８０度以内の角度で完了する２条の多条ネジを成形金型のパーテイ線を間に挟んで設けてなるクリックストップ機構を有する容器のキャップ装置。
【請求項１８】
請求項１５、１６又は１７に記載のクリックストップ機構を有する容器のキャップ装置において、容器開口頭部の外周ネジ部の２条の多条ネジに対してキャップ内筒部の内周ネジ部が４条からなることを特徴とするクリックストップ機構を有する容器のキャップ装置。
【請求項１９】
請求項１５、１６、１７又は１８に記載のクリックストップ機構を有する容器のキャップ装置において、容器開口頭部の外周ネジ部の２条の多条ネジに対して成形金型のパーテイ線上に外周ネジ部の一部となる突起状ネジ部を設けたことを特徴とするクリックストップ機構を有する容器のキャップ装置。
【請求項２０】
請求項１乃至１９のいずれかに記載のクリックストップ機構を有する容器のキャップ装置において、クリック機構を構成する容器開口頭部の乗り越え突起をキャップ内筒部の乗り越え弾性脚部が乗り越えてねじ込み終端位置に至る間のみ容器開口頭部の外周ネジ部にキャップ内筒部の内周ネジ部が螺合することを特徴とするクリックストップ機構を有する容器のキャップ装置。
【請求項２１】
請求項１乃至２０のいずれかに記載のクリックストップ機構を有する容器のキャップ装置において、乗り越え弾性脚部が所定間隔毎にスリットを設けた弾接片を有する複数の弾性脚片からなることを特徴とするクリックストップ機構を有する容器のキャップ装置。
【請求項２２】
請求項１乃至２１のいずれかに記載のクリックストップ機構を有する容器のキャップ装置において、キャップ内筒部の乗り越え弾性脚部に対して容器開口頭部の乗り越え突起が弾性変形可能な弾性変形部材からなることを特徴とするクリックストップ機構を有する容器のキャップ装置。
【請求項２３】
請求項１乃至２１のいずれかに記載のクリックストップ機構を有する容器のキャップ装置において、キャップ内筒部の乗り越え弾性脚部に対して容器開口頭部の乗り越え突起が、硬質合成樹脂、ガラス、金属等の硬質の部材からなることを特徴とするクリックストップ機構を有する容器のキャップ装置。
【請求項２４】
請求項１乃至２３のいずれかに記載のクリックストップ機構を有する容器のキャップ装置において、密封機構のキャップ密封部に対して容器密封部が、硬質合成樹脂、ガラス、金属等の硬質の部材からなることを特徴とするクリックストップ機構を有する容器のキャップ装置。
【発明の詳細な説明】
【０００１】
【発明の属する技術分野】
本発明は、開封した後において容器の密封を維持することができると共に、ねじ込み完了を確認する感触が得られ、且つ、少ない回転数で装着が完了するように構成することができるクリックストップ機構を有する容器のキャップ装置に関する。
【０００２】
【従来の技術】
ネジは、円筒部の外側の螺旋に沿って設けたネジ山と溝を持つ雄ネジと、円筒部の内側の螺旋に沿って設けたネジ山と溝を持つ雌ネジとが常に一対となって使用されるもので、ネジ山を構成している螺旋の数によって１条ネジ、２条ネジ、多条ネジと呼ばれているが、この明細書では２条ネジ以上を多条ネジと呼び、多条ネジには２条ネジも含まれるものとする。いま、条数をｎとすれば、ピッチｐなるネジでは、雌ネジの一回転によって雄ネジの進み（リード）Ｌは、Ｌ＝ｎｐである。
【０００３】
少ない回転数のワンタッチ感覚で装着が完了し、又は離脱するように構成されたチューブ容器等のキャップのネジでは、ピッチｐを大きくして、容器のネジ頭部の雄ネジに対してキャップの雌ネジを９０°以内、又は９０°以上でも半回転から一回転もすると装着が完了し、また、離脱するものが便利である。
【０００４】
【発明が解決しようとする課題】
この場合、例えば、密封容器等のキャップのネジでは、ピッチｐを大きくして着脱を容易にした分だけ、強力な緊締力が得られず、ネジが緩み易くなり、充分な密封性が得られなくなる課題がある。
【０００５】
【課題を解決するための手段】
そこで、本発明は、請求項１に記載の如く、容器開口頭部の外周ネジ部にキャップ内筒部の内周ネジ部が螺合し、前記ネジ部のねじ込み終端位置においてキャップのねじ込み装着が完了する容器のキャップ装置において、前記ネジ部のねじ込み終端位置のねじ込み前位置に容器開口頭部の乗り越え突起をキャップ内筒部の乗り越え弾性脚部が乗り越えるクリック機構を設ける一方、容器開口頭部の外周に設けた容器密封部とキャップ内筒部に設けたキャップ密封部とが密封状態で接触する密封機構を設けたことを特徴とするクリックストップ機構を有する容器のキャップ装置を提供しようとするものである。
【０００６】
本発明に係るクリックストップ機構を有する容器のキャップ装置によれば、容器開口頭部にキャップをねじ込むと、ネジ部のねじ込み終端位置の前位置において、クリック機構を構成する容器開口頭部の乗り越え突起をキャップ内筒部の乗り越え弾性脚部が乗り越えることにより、乗り越え弾性力によってキャップに強力な装着弾力が得られ、ネジの緩みを防止することができると共に、クリック急回転によりねじ込み完了を確認する感触が得られ、確実なキャップの装着を確信することができ、且つ、キャップを過剰に締め付けるのを防止することができる一方、クリック作動と同時に、本発明の密封機構を構成する容器開口頭部の外周に設けた容器密封部とキャップ内筒部に設けたキャップ密封部とが密封状態で接触することにより、充分な密封性が得られることとなる。
【０００７】
したがって、使用者は、６０°以下とか９０°以下と言うような、少ない回転数のワンタッチ感覚で装着が完了し、又は離脱することに満足感が得られ、快適なキャップの着脱感を得ることができると共に、そのように構成されたチューブ容器等のキャップのネジで、ピッチｐを大きくして少ない回転で着脱を容易にした場合であっても、クリック機構の乗り越え弾力を受けて接触し密封状態を維持する密封機構により、キャップには充分な密封性が得られることとなり、また、ネジの緩みも防止することができる。
【０００８】
また、ネジ部のねじ込み終端部において、容器開口と天板部に隙間が生じていたとしても、クリック機構の乗り越え弾力を受けて接触し密封状態を維持する密封機構により、キャップには充分な密封性が得られることとなり、容器開封前に容器開口部に貼着されていたシールを使用時に除去した場合や、キャップ内天板部のシール材を外した場合等にも、充分な密封性が得られ、キャップの密封信頼性を高めることができる。
【０００９】
また、本発明は、請求項１に記載のクリックストップ機構を有する容器のキャップ装置において、クリック機構を構成する容器開口頭部の乗り越え突起が、容器開口頭部の外周ネジ部の下方に設けてあると共に、キャップ内筒部の乗り越え弾性脚部がキャップ内筒部の内周ネジ部の下方に設けてあることを特徴とするクリックストップ機構を有する容器のキャップ装置を提供するものである。
クリック機構を構成する乗り越え突起が、容器開口頭部の外周ネジ部の下方に設けてあると共に、乗り越え弾性脚部がキャップ内筒部の内周ネジ部の下方に設けてある構成であることにより、乗り越え弾性脚部をキャップ内筒部の内周ネジ部下方のスカート部側に設けることができるから、請求項１の記載においてクリック機構を構成する乗り越え突起が、容器開口頭部の外周ネジ部の上方に設けてあると共に、乗り越え弾性脚部がキャップ内筒部の内周ネジ部の上方内奥に設けてある構成に比較して、キャップの製作を容易に行うことができることとなる。
【００１０】
また、本発明は、請求項１又は２に記載のクリックストップ機構を有する容器のキャップ装置において、密封機構を構成する容器開口頭部の外周に設けた容器密封部が容器開口頭部の外周ネジ部の上方に設けてあると共に、キャップ内筒部に設けたキャップ密封部がキャップ内筒部の内周ネジ部の上方に設けてあることを特徴とするクリックストップ機構を有する容器のキャップ装置を提供するものである。
請求項１又は２に記載のクリックストップ機構を有する容器のキャップ装置において、密封機構を構成するには、容器開口頭部の外周の容器密封部に対して、キャップ内筒部に設けたキャップ密封部が密着するようにやや狭く構成することによって成立するのであるが、請求項１又は２に記載のクリック機構において容器密封部を外周ネジ部の下方に設ける場合には、キャップ内筒部の内周ネジ部の下方に設けたキャップ密封部の内径は容器外周ネジ部の外径より大きくする必要が生じるのに対して、容器密封部及びキャップ密封部をネジ部の上方に設ける場合には、キャップ密封部の内径は容器外周ネジ部の外径より適宜小さく構成でき、従って、容器頭部外周ネジ部の上方に設けた容器密封部の外径も対応して小さく構成することができることとなり、本発明の必要十分条件を満たした小型軽量の合理的な構成にすることができる。
【００１１】
また、本発明は、請求項１、２又は３に記載のクリックストップ機構を有する容器のキャップ装置において、クリック機構の乗り越え突起が、乗り越え手前側は突起頂部に向かう比較的緩やかな傾斜面からなり、頂部から先は比較的急な傾斜面からなることを特徴とするクリックストップ機構を有する容器のキャップ装置を提供するものである。
上記の構成によれば、容器開口頭部の乗り越え突起をキャップ内筒部の乗り越え弾性脚部が装着時に乗り越えるときには、乗り越え手前側から突起頂部に向かう比較的緩やかな傾斜面により比較的円滑に乗り越えることができ、乗り越え時には急な傾斜面でクリック急回転し軽快なクリック感が得られ、装着後には急な傾斜面により確実な締め付けトルクが得られ、また、キャップを離脱する方向に逆回転するときには、急な傾斜面により比較的強い回転抵抗を受け、キャップの緩み止めが確実になされ、更に、キャップを離脱するときには急な傾斜面によるクリック急回転を伴って、ワンタッチ式に一気にキャップを離脱することができることとなる。
【００１２】
また、本発明は、請求項１、２、３又は４に記載のクリックストップ機構を有する容器のキャップ装置において、クリック機構の乗り越え突起が、乗り越え手前側は突起頂部に向かう傾斜面からなり、頂部から先は急激に落ち込む急斜面からなることを特徴とするクリックストップ機構を有する容器のキャップ装置を提供するものである。
上記の構成によれば、キャップ着脱に伴う突起乗り越え時のクリック急回転によるクリック感と、装着後の急な傾斜面による確実な締め付けトルクと、キャップの緩み止めと、ワンタッチ式の着脱感等を、より際だたせることができることとなる。
【００１３】
また、本発明は、請求項１乃至５のいずれかに記載のクリックストップ機構を有する容器のキャップ装置において、クリック機構の乗り越え突起の頂部に平坦部が設けてあることを特徴とするクリックストップ機構を有する容器のキャップ装置を提供するものである。
上記の構成によれば、クリック機構の乗り越え突起の頂部に設けた平坦部によって、突起を乗り越えてからのクリック回転の距離を大きく取ることができるから、ネジ部の締め付け距離が大きくなる分だけ締め付けトルクを増大することができるのみならず、平坦部において乗り越え抵抗の無くなったところから密封機構における容器密封部とキャップ密封部との接触可能な範囲を取ることができるから、乗り越え抵抗と密封接触抵抗を重ならないようにしてクリック機構と密封機構との重なりによるキャップの回転抵抗を軽減しキャップの回転を円滑にすることができると共に、両密封部の密封接触可能範囲の増大により密封機能を確実にすることができることとなる。
【００１４】
また、本発明は、請求項１乃至６のいずれかに記載のクリックストップ機構を有する容器のキャップ装置において、ねじ込み終端位置において、容器開口頭部の外周に設けた容器密封部とキャップ内筒部に設けたキャップ密封部とが密封状態で接触する密封機構を設けたことを特徴とするクリックストップ機構を有する容器のキャップ装置を提供するものである。
上記の構成によれば、キャップがクリック機構によりクリック急回転してねじ込み終端位置に到達したとき密封機構が密封状態になるから、密封機能とクリックストップ機能とが合致した理想的な容器のキャップ装置を提供することができる。
【００１５】
また、本発明は、請求項１乃至７のいずれかに記載のクリックストップ機構を有する容器のキャップ装置において、前記乗り越え突起を乗り越え弾性脚部が乗り越える乗り越え位置からねじ込み終端位置に至る間のクリック回転完了位置において、容器開口頭部の外周に設けた容器密封部とキャップ内筒部に設けたキャップ密封部とが密封状態で接触する密封機構を設けたことを特徴とするクリックストップ機構を有する容器のキャップ装置を提供するものである。
上記の構成によれば、乗り越え突起を乗り越え弾性脚部が乗り越える乗り越え位置からねじ込み終端位置に至る間のクリック回転完了位置において、密封機構の密封部が密封状態になることから、ねじ込み終端位置までねじ込まないでクリック回転終了位置を以てキャップの締め付け操作を完了したと判断してそれ以上締め付けない使用者においても、クリックストップで密封状態を確保することができることとなり、特に、密封機構の密封部の密封状態において密封抵抗が比較的大きい場合には有効である。
【００１６】
また、本発明は、請求項１乃至８のいずれかに記載のクリックストップ機構を有する容器のキャップ装置において、前記乗り越え突起を乗り越え弾性脚部が乗り越える乗り越え位置からねじ込み終端位置に至る区間の間、容器開口頭部の外周に設けた容器密封部とキャップ内筒部に設けたキャップ密封部とが密封状態で接触する密封機構を設けたことを特徴とするクリックストップ機構を有する容器のキャップ装置を提供するものである。
上記の構成によれば、乗り越え突起を乗り越え弾性脚部が乗り越える乗り越え位置からねじ込み終端位置に至る区間の間、いずれの位置においても密封機構の密封部が密封状態に維持されることから、クリック機構によるクリック回転完了後のキャップの位置に関わりなく密封状態が維持されることとなる。
【００１７】
また、本発明は、請求項１乃至９のいずれかに記載のクリックストップ機構を有する容器のキャップ装置において、ねじ込み終端位置からキャップを逆回転して前記乗り越え突起を乗り越え弾性脚部が逆に乗り越える位置までの間、容器開口頭部の外周に設けた容器密封部とキャップ内筒部に設けたキャップ密封部とが密封状態で接触する密封機構を設けたことを特徴とするクリックストップ機構を有する容器のキャップ装置を提供するものである。
上記の構成によれば、ねじ込み終端位置からキャップを逆回転して前記乗り越え突起を乗り越え弾性脚部が逆に乗り越える位置までの間、いずれの位置においても密封機構の密封部が密封状態に維持されることから、請求項１０の構成の場合と同様に、クリック機構によるクリック回転完了後のキャップの位置に関わりなく、逆回転移動したとしてもクリック機構を乗り越えて離脱しない限り密封状態が維持されることとなる。
【００１８】
また、本発明は、請求項１乃至１０のいずれかに記載のクリックストップ機構を有する容器のキャップ装置において、クリック機構の前記乗り越え突起を乗り越え弾性脚部が乗り越える乗り越え位置が、乗り越え突起をその頂部に向かって登ることにより乗り越え弾性脚部に生じる乗り越え抵抗が急激に失われる位置から始まることを特徴とするクリックストップ機構を有する容器のキャップ装置を提供するものである。
上記の構成によれば、クリック機構の乗り越え突起を乗り越え弾性脚部が乗り越えクリック急回転を開始する乗り越え位置は、乗り越え突起又は乗り越え弾性脚部の形状や構成の如何に関わらず、乗り越え弾性脚部に生じる乗り越え抵抗が急激に失われる位置から始まるから、その技術範囲内において、実施例の構造等に限定されることなく従来公知の種々のクリック機構を採用することができる。
【００１９】
また、本発明は、請求項１乃至１１のいずれかに記載のクリックストップ機構を有する容器のキャップ装置において、前記乗り越え突起を乗り越え弾性脚部が乗り越えてキャップのクリック回転が終了する位置がネジ部のねじ込み終端位置であることを特徴とするクリックストップ機構を有する容器のキャップ装置を提供するものである。
上記の構成によれば、キャップのクリック回転が終了する位置がネジ部のねじ込み終端位置であることから、キャップのクリック回転が終了すると同時に、キャップの装着が完了し、密封機構の密封状態も得られることとなり、キャップを緩み無く装着することができることとなる。
【００２０】
また、本発明は、請求項１乃至１２のいずれかに記載のクリックストップ機構を有する容器のキャップ装置において、ネジ部のねじ込み終端位置において容器開口にキャップ天板が当接することを特徴とするクリックストップ機構を有する容器のキャップ装置を提供するものである。
上記の構成によれば、ネジ部のねじ込み終端位置において、クリック機構の乗り越え弾力によりキャップに強力な装着弾力が得られ、密封機構によりキャップの接触による密封状態が得られた段階で、容器開口にキャップ天板が当接することによって、容器開口も直接密封されることとなり、高い密封性が得られると共に、それ以上の無理なねじ込み操作を防止できることとなる。
【００２１】
また、本発明は、請求項１乃至１３のいずれかに記載のクリックストップ機構を有する容器のキャップ装置において、ネジ部のねじ込み終端位置において容器肩部にキャップスカート部が当接することを特徴とするクリックストップ機構を有する容器のキャップ装置を提供するものである。
上記の構成によれば、少ない回転数のワンタッチ感覚で装着又は離脱するように構成されたチューブ容器等のキャップのネジで、ピッチｐを大きくしネジの螺旋を少なくすると、容器開口頭部に対してキャップにガタが生じ易くなるが、この場合、キャップのねじ込み終端位置において容器肩部にキャップスカート部が当接することによって、キャップが安定した装着状態を維持することとなる。
【００２２】
また、本発明は、請求項１乃至１４のいずれかに記載のクリックストップ機構を有する容器のキャップ装置において、密封機構が、容器開口頭部の外周に設けた容器密封部とキャップ内筒部に設けたキャップ密封部とのいずれか一方が相手方よりも断面形状において曲率半径の小さい凸状面で相手方に突出して密封状態で接触することを特徴とするクリックストップ機構を有する容器のキャップ装置を提供するものである。上記の構成によれば、密封機構の容器密封部とキャップ密封部とのいずれか一方が相手方よりも曲率半径の小さい凸状面で相手方に突出して密封状態で接触することにより、曲率半径の大きい面と面が大きな接触面と接触抵抗で接触する場合に比較して、曲率半径の小さい凸状面が相手方に突出して小さな接触面による小さな抵抗値で確実且つ円滑に接触することができ、且つ、自ら又は相手方が弾性的に変形し易い形状であるから、寸法誤差等を吸収して密着状態で接触することが容易にできることとなる。
【００２３】
また、本発明は、請求項１乃至１５のいずれかに記載のクリックストップ機構を有する容器のキャップ装置のネジ部が多条ネジであることを特徴とするクリックストップ機構を有する容器のキャップ装置を提供するものである。
上記の構成によれば、多条ネジにすることによって、ネジのピッチｐを大きくしネジの螺旋を少なくし、少ない回転数のワンタッチ感覚で装着又は離脱するように構成することができると共に、多条にした分だけ螺合の機会が増えて装着に要する空転角度を小さくすることができ、また、容器開口頭部とキャップとのネジ部が多条状態で当接することによって安定した嵌合状態を得ることができる。
【００２４】
また、本発明は、請求項１乃至１６のいずれかに記載のクリックストップ機構を有する容器のキャップ装置において、キャップのねじ込み装着が回転角度３６０°以内の角度で完了することを特徴とするクリックストップ機構を有する容器のキャップ装置を提供するものである。
上記の構成によれば、キャップのねじ込み装着が回転角度３６０°以内の角度で完了することによって、キャップ装置を少ない回転数のワンタッチ感覚で装着又は離脱するように構成することができる。
【００２５】
また、本発明は、請求項１乃至１７のいずれかに記載のクリックストップ機構を有する容器のキャップ装置において、容器開口頭部の外周ネジ部にキャップのねじ込み装着が回転角度１８０°以内の角度で完了する２条の多条ネジを成形金型のパーテイ線を間に挟んで設けてなるクリックストップ機構を有する容器のキャップ装置を提供するものである。
上記の構成によれば、２条の多条ネジを成形金型のパーテイ線を間に挟んで設けてなる構成を有することにより、容器開口頭部の外周ネジ部のネジ山及びネジ溝にパーテイ線が付されないから、表面が円滑なネジ部を容易に成形できると共に、型離れが良好な成形が可能となる。
【００２６】
また、本発明は、請求項１６、１７又は１８に記載のクリックストップ機構を有する容器のキャップ装置において、容器開口頭部の外周ネジ部の２条の多条ネジに対してキャップ内筒部の内周ネジ部が４条からなることを特徴とするクリックストップ機構を有する容器のキャップ装置を提供するものである。
上記の構成によれば、容器開口頭部の外周ネジ部の２条の多条ネジに対してキャップ内筒部の内周ネジ部が４条からなることにより、それだけ少ないキャップの回転角度で、両者が係合する機会が生じることとなると共に、係合後において、容器開口頭部の外周ネジ部に４条のネジ山が当接してキャップのガタツキを防止し安定した係合状態を得られる。
【００２７】
また、本発明は、請求項１６、１７、１８又は１９に記載のクリックストップ機構を有する容器のキャップ装置において、容器開口頭部の外周ネジ部の２条の多条ネジに対して成形金型のパーテイ線上に外周ネジ部の一部となる突起状ネジ部を設けたことを特徴とするクリックストップ機構を有する容器のキャップ装置を提供するものである。
上記の構成によれば、成形金型のパーテイ線上に他の２条の外周ネジ部の一部となる突起状の部分ネジ部を設けたことにより、キャップ側に設けた４条ネジと４条ネジとして交合し、ガタを防止することができると共に、表面が円滑なネジ部を容易に成形でき、型離れが良好な成形が可能となる。
【００２８】
また、本発明は、請求項１乃至２０のいずれかに記載のクリックストップ機構を有する容器のキャップ装置において、クリック機構を構成する容器開口頭部の乗り越え突起にキャップ内筒部の乗り越え弾性脚部が当接してからねじ込み終端位置に至る間のみ容器開口頭部の外周ネジ部にキャップ内筒部の内周ネジ部が螺合することを特徴とするクリックストップ機構を有する容器のキャップ装置を提供するものである。
上記の構成によれば、キャップ装着時に、クリック機構を構成する乗り越え突起に乗り越え弾性脚部が当接するところからネジ部が螺合してクリック機構を乗り越えねじ込み終端位置に至り装着を完了し、逆にキャップ離脱時には、ネジ部の螺合によりクリック機構を乗り越えたところでキャップが離脱することとなるから、キャップのネジによる着脱はクリック機構の乗り越え区間のみに限定されることとなり、キャップの着脱回転を最小限に構成でき、キャップをワンタッチ感覚で着脱することができることとなる。
【００２９】
また、本発明は、請求項１乃至２１に記載のクリックストップ機構を有する容器のキャップ装置において、乗り越え弾性脚部が所定間隔毎にスリットを設けた弾接片を有する複数の弾性脚片からなることを特徴とするクリックストップ機構を有する容器のキャップ装置を提供するものである。
上記の構成によれば、乗り越え弾性脚部が所定間隔毎にスリットを設けた弾接片を有する複数の弾性脚片からなることにより、容器開口頭部の乗り越え突起を大きく長く設定しても弾性脚片が大きく変形して対応することができ、乗り越え弾性脚部の乗り越え幅Ｗを比較的大きく自由に取ることができ、乗り越え弾性力によってキャップに強力な装着弾力が得られ、ネジの緩みを防止することができると共に、ねじ込み完了を確認する感触が確実に得られ、且つ乗り越え移動時に、本発明の密封機構を構成する容器密封部とキャップ密封部との接触幅を増大して円滑、確実な密封性が得られることとなる。
【００３０】
また、本発明は、請求項１乃至２２のいずれかに記載のクリックストップ機構を有する容器のキャップ装置において、キャップ内筒部の乗り越え弾性脚部に対して容器開口頭部の乗り越え突起が弾性変形可能な弾性変形部材からなることを特徴とするクリックストップ機構を有する容器のキャップ装置を提供するものである。
上記の構成によれば、キャップ内筒部の乗り越え弾性脚部に対して弾性変形部材からなる容器開口頭部の乗り越え突起が弾性変形することにより、弾性脚部が円滑に乗り越え突起を乗り越えることが可能となる。
また、本発明は、請求項１乃至２３のいずれかに記載のクリックストップ機構を有する容器のキャップ装置において、キャップ内筒部の乗り越え弾性脚部に対して容器開口頭部の乗り越え突起が、ガラス、金属等の硬質の部材からなることを特徴とするクリックストップ機構を有する容器のキャップ装置を提供するものである。
【００３１】
上記の構成によれば、ガラス容器や、金属容器のように、容器開口頭部の乗り越え突起が、ガラス、金属等の硬質の部材からなることにより、キャップ内筒部の乗り越え弾性脚部が弾性変形して円滑に乗り越え突起を乗り越えることができる。
また、本発明は、請求項１乃至２４のいずれかに記載のクリックストップ機構を有する容器のキャップ装置において、密封機構のキャップ密封部に対して容器密封部が、ガラス、金属等の硬質の部材からなることを特徴とするクリックストップ機構を有する容器のキャップ装置を提供するものである。
上記の構成によれば、密封機構の容器密封部が、ガラス、金属等の硬質の部材からなることにより、キャップ密封部が弾性変形して密着し密封状態を維持することとなる。
【００３２】
【実施例】
以下図示する実施例により本発明を詳細に説明する。
図１、２、図５、図６、図７において、１は円筒状の容器開口頭部１０の雄ネジ部で、その外側の互いに１８０度回転角度を隔てた螺旋に沿って２条のネジ山１Ａ及びネジ溝１ａとネジ山１Ｂ及びネジ溝１ｂを持つ雄ネジが設けてある。キャップ２０の内筒部２には、９０°回転角度間隔の螺旋に沿って４条のネジ山２Ａ、２Ｂ、２Ｃ、２Ｄ及びそのネジ溝２ａ、２ｂ、２ｃ、２ｄを持つ雌ネジが設けてあり、例えば、キャップ２０の雌ネジ側のネジ山２Ａと２Ｃが容器開口頭部１０側の雄ネジのネジ溝１ａと１ｂにそれぞれ係合して、４条の中の２条の雌ネジが相対する容器開口頭部１０の２条の雄ネジに螺合するように構成し、雌ネジキャップ２０を装着するときの空転角度間隔を９０°以下に狭めて空転角度を含めたキャップ装着回転角度を小さくしてワンタッチ装着感覚を強めることができると共に、図１に示すように、容器頭部の２条の雄ネジに螺合しない２条の雌ネジのネジ山２Ｂ、２Ｄがネジ山１Ａ,１Ｂの上面に係合して、キャップの螺合状態を強化することができる。
【００３３】
２条ネジを含めて一般的な多条ネジでは、キャップ内円筒部２の内側の螺旋に沿って設けた多条の雄ネジに対して、同数のネジ山とネジ溝とからなる多条の雌ネジを設けた構成にすることも勿論可能である。
図において、容器開口頭部１０の外周ネジ部１の２条の多条ネジ１Ａ、１Ｂに対して成形金型のパーテイ線Ｐ上に他の２条の外周ネジ部の一部となる突起状の部分ネジ部１Ｃ、１Ｄを設けてある。
成形金型のパーテイ線Ｐ上に他の２条の外周ネジ部の一部となる突起状の部分ネジ部１Ｃ、１Ｄを設けたことにより、キャップ側に設けた４条ネジと４条ネジとして交合し、ガタを防止することができると共に、表面が円滑なネジ部を容易に成形でき、４条ネジの一部となるネジ部１Ｃ、１Ｄがパーテイ線Ｐ上に存在したとしても、パーテイ線を境に型離れが良好な成形が可能となる。
また、部分ネジ部１Ｃ、１Ｄの形状は、図１、２又は４のように、円形山形状であっても、図５又は６に記載のように、長円形状であっても、図７又は８に記載のように、長菱形形状であっても良いが、型抜きの円滑性が維持できる範囲内で、接触面積が大きくネジの締め付けとガタ防止に適した後者の長円形状又は長菱形形状にすることが好ましい。
【００３４】
３はネジ部１の下側に設けた乗り越え突起で、キャップ内筒部２０の乗り越え弾性脚部４が乗り越えるクリック機構を構成している。図２に記載の如く、乗り越え突起３は、頂部の平坦部３ａを間に挟んで上部は緩やかな緩斜面３ｂを形成すると共に、下部は急激な急斜面３ｃを形成しており、前記頂部の平坦部３ａは前記両斜面を滑らかに接続する平坦面又は凸状面であることが好ましい。実施例の場合、図３に記載の如く、乗り越え弾性脚部４は、雌ネジ部の下側に設けた所定間隔毎のスリット５に分割された弾接片４ａを先端部に有する複数の弾性脚片４ｂからなる。弾接片４ａは平坦な乗り越え幅Ｎを中央部に具備する滑らかな凸面状からなると共に、弾性脚片４ｂは弾性変形の大きく取れる肉厚の薄い構成からなり、容器開口頭部１０の乗り越え突起３を大きく長く設定しても弾性脚片４ａが大きく変形して対応することができ、乗り越え弾性脚部４の乗り越え幅Ｎを比較的大きく自由に取ることができ、拡張方向に弾性変形して蓄積した乗り越え弾力を、乗り越え突起３を乗り越えクリック急回転するときに解放しながらキャップに強力な装着弾力が得られ、ネジの緩みを防止することができると共に、ねじ込み完了を確認する感触が確実に得られ、且つ乗り越え移動時に、本発明の密封機構を構成する容器密封部とキャップ密封部との接触幅Ｅ、接触位置、及び接触強さの設定の自由度を増大して円滑、確実な密封性が得られることとなる。
【００３５】
なお、乗り越え弾性脚部４のスリット５は、キャップ内筒部２０の材質によってその数と間隔を適宜変更して設定することができる一方、例えば、乗り越え突起３が弾力性又は柔軟性に富む場合には、乗り越え時に乗り越え突起３が大きく弾性変形することとなるから、スリットの数を減らすことができると共に、クリック機構のクリック突起の構造によってはスリット不要な構成にすることができる。
【００３６】
乗り越え突起３の頂部の平坦部３ａの幅Ｎと乗り越え弾性脚部４ｂの乗り越え幅Ｎは、後述する容器開口頭部の外周に設けた容器密封部とキャップ内筒部に設けたキャップ密封部とが、どの位置で、どの程度の幅と強さで密着するかによって、適宜設定されることとなる。
即ち、頂部の平坦部幅Ｗと乗り越え幅Ｎは、キャップ装着のねじ込み端部付近において、乗り越え脚部４の弾接片４ａが乗り越え突起３に当接する位置で始まり、相互に接触しながら、凸面状の弾接片４ａの凸面頂部が乗り越え突起３の凸面頂部を越えて急斜面３ｃに落ち込む位置で完了するが、落ち込み前又は落ち込み後のどの位置で容器密封部とキャップ密封部とが、接触を始め、接触を完了するかによって、どの程度の幅と強さで密着するかが決定する一要素となる。
【００３７】
図１乃至３において、６は容器開口頭部１０のネジ部１の上側外周に設けた容器密封部であり、キャップ内筒部２のネジ部上側に設けたキャップ密封部７と、密封幅Ｅで接触するように設けてある。即ち、実施例の場合、キャップ密封部７の内周形状より容器密封部６の外周形状を僅かに大きく成形してあり、キャップ装着の最終段階において両者が密封幅Ｅで弾力的に嵌着するように構成してある。従って、容器開口頭部１０及びキャップ内頭部２の材質にも左右されるが、キャップ密封部７の外周形状より容器密封部６の外周形状がどれだけ大きく成形してあるかによっても、密着強さが左右され、設計段階で種々に設定することができる。一般的には、キャップ２０が弾性変形脚部４を具備することからキャップ密封部７が弾性変形部材であるとが考えられ、この場合、容器開口頭部の材質は硬質のプラスチック製、ガラス製又は金属製等であっても、キャップ密封部７が弾性変形して密着することとなる。また、密封幅Ｅにおいて、実施例では、同一径に記載してあるが、穴径に緩いテーパーを設けて徐々に密着度を増大する構成にすることもできる。
【００３８】
図７の実施例において、容器開口頭部１０の外周に設けた容器密封部６は、断面形状において曲率半径の小さい凸状面６ａで相手方に突出して密封幅Ｅの間、密封状態で接触する密封機構を構成しており、密封機構の容器密封部６が相手方のキャップ密封部７に曲率半径の小さい凸状面６ａで突出して密封状態で接触することにより、曲率半径の大きい面と面が大きな接触面と接触抵抗で接触する場合に比較して、曲率半径の小さい凸状面６ａが小さい接触面による小さな抵抗値で確実且つ円滑に接触することができ、且つ、自ら又は相手方が弾性的に変形し易い形状であるから、寸法誤差等を吸収して密封幅Ｅの区間で密着状態で接触することが容易にできることとなる。
【００３９】
この場合、密封機構の容器密封部６とキャップ密封部７とのいずれか一方が相手方よりも断面形状において曲率半径の小さい凸状面で相手方に突出して密封状態で接触することにより、同じ密封効果が得られると共に、相手方の接触面を調整することによって密封幅Ｅの大きさから密封強度、密封位置等を容易に設定することができる。なお、図７の実施例の場合、容器密封部６の凸状面６ａの上側面６ｂが緩い傾斜面をなしているから、キャップ装着時に平滑なキャップ密封部７と円滑に接触して密封状態を維持するように構成してあり、キャップ離脱時には比較的密着抵抗が大きく作用し、嵌着状態を維持する傾向の構成にしてある。なお、この場合、キャップ密封部７を徐々に孔径が狭まる傾斜面として構成し、クリックストップ位置で密着抵抗が最大になるように構成することができると共に、キャップ密封部７をクリック急回転部でやや広げて密着抵抗を減らしクリック回転終了位置付近で徐々に孔径が狭まる傾斜面として構成し、クリックストップ位置で密着抵抗が最大になるように構成することもできる。
【００４０】
また、本発明は、上記クリックストップ機構を有する容器のキャップ装置において、クリック機構の乗り越え突起３が、乗り越え手前側は突起頂部３ａに向かう比較的緩やかな傾斜面３ｂからなり、頂部から先は比較的急な傾斜面３ｃからなることにより、容器開口頭部の乗り越え突起３をキャップ内筒部の乗り越え弾性脚部４が装着時に乗り越えるときには、乗り越え手前側から突起頂部に向かう比較的緩やかな傾斜面３ｂにより比較的円滑に乗り越えることができ、乗り越え時には急な傾斜面３ｃでクリック急回転し軽快なクリック感が得られ、装着後には急な傾斜面３ｃにより確実な締め付けトルクが得られ、また、キャップを離脱する方向に逆回転するときには、急な傾斜面３ｃにより比較的強い回転抵抗を受け、キャップの緩み止めが確実になされ、更に、キャップを離脱するときには急な傾斜面３ｃによるクリック急回転を伴って、ワンタッチ式に一気にキャップを離脱することができることとなる。
【００４１】
また、本発明は、上記のクリックストップ機構を有する容器のキャップ装置において、クリック機構の乗り越え突起３が、乗り越え手前側は突起頂部に向かう傾斜面３ｂからなり、頂部から先は急激に落ち込む急斜面３ｃからなることにより、キャップ着脱に伴う突起乗り越え時のクリック急回転によるクリック感と、装着後の急な傾斜面３ｃによる確実な締め付けトルクと、キャップの緩み止めと、ワンタッチ式の着脱感等を、より際だたせることができることとなる。
【００４２】
また、本発明は、上記のクリックストップ機構を有する容器のキャップ装置において、クリック機構の乗り越え突起３の頂部に平坦部３ａが設けてあることにより、クリック機構の乗り越え突起３の頂部に設けた平坦部３ａによって、突起を乗り越えてからのクリック回転の距離を大きく取ることができるから、ネジ部の締め付け距離が大きくなる分だけ締め付けトルクを増大することができるのみならず、平坦部において乗り越え抵抗の無くなったところから密封機構における容器密封部６とキャップ密封部７との接触可能な範囲を取ることができるから、乗り越え抵抗と密封接触抵抗を重ならないようにしてクリック機構と密封機構との重なりによるキャップの回転抵抗を軽減しキャップの回転を円滑にすることができると共に、両密封部の密封接触可能範囲の増大により密封機能を確実にすることができることとなる。
【００４３】
また、本発明は、上記のクリックストップ機構を有する容器のキャップ装置において、ねじ込み終端位置において、容器開口頭部の外周に設けた容器密封部６とキャップ内筒部に設けたキャップ密封部７とが密封状態で接触する密封機構を設けた構成により、キャップがクリック機構によりクリック急回転してねじ込み終端位置に到達したとき密封機構が密封状態になるから、密封機能とクリックストップ機能とが合致した理想的な容器のキャップ装置を提供することができる。
【００４４】
また、本発明は、上記のクリックストップ機構を有する容器のキャップ装置において、前記乗り越え突起３を乗り越え弾性脚部４が乗り越える乗り越え位置からねじ込み終端位置に至る間のクリック回転完了位置において、容器開口頭部の外周に設けた容器密封部６とキャップ内筒部に設けたキャップ密封部７とが密封状態で接触する密封機構を設けたことにより、乗り越え突起３を乗り越え弾性脚部４が乗り越える乗り越え位置からねじ込み終端位置に至る間のクリック回転完了位置において、密封機構の密封部６，７が密封状態になることから、ねじ込み終端位置までねじ込まないでクリック回転終了位置を以てキャップの締め付け操作を完了したと判断してそれ以上締め付けない使用者においても、クリックストップで密封状態を確保することができることとなり、特に、密封機構の密封部の密封状態において密封抵抗が比較的大きい場合には、密封抵抗の大きさによりクリック回転終了位置が決まることがあり、有効である。
【００４５】
また、本発明は、上記のクリックストップ機構を有する容器のキャップ装置において、前記乗り越え突起３を乗り越え弾性脚部４が乗り越える乗り越え位置からねじ込み終端位置に至る区間の間、容器開口頭部の外周に設けた容器密封部６とキャップ内筒部に設けたキャップ密封部７とが密封状態で接触する密封機構を設けた構成を有することにより、乗り越え突起３を乗り越え弾性脚部４が乗り越える乗り越え位置からねじ込み終端位置に至る区間の間、いずれの位置においても密封機構の密封部６，７が密封状態に維持されることから、クリック機構によるクリック回転完了後のキャップの位置に関わりなく密封状態が維持されることとなる。
【００４６】
また、本発明は、上記のクリックストップ機構を有する容器のキャップ装置において、ねじ込み終端位置からキャップを逆回転して前記乗り越え突起３を乗り越え弾性脚部４が逆に乗り越える位置までの間、容器開口頭部の外周に設けた容器密封部６とキャップ内筒部に設けたキャップ密封部７とが密封状態で接触する密封機構を設けたことにより、ねじ込み終端位置からキャップを逆回転して前記乗り越え突起３を乗り越え弾性脚部４が逆に乗り越える位置までの間、いずれの位置においても密封機構の密封部が密封状態に維持されることから、前記同様に、クリック機構によるクリック回転完了後のキャップの位置に関わりなく、逆回転移動したとしてもクリック機構を乗り越えて離脱しない限り密封状態が維持されることとなる。
【００４７】
また、本発明は、上記のクリックストップ機構を有する容器のキャップ装置において、クリック機構の前記乗り越え突起３を乗り越え弾性脚部４が乗り越える乗り越え位置が、乗り越え突起３をその頂部３ａに向かって登ることにより乗り越え弾性脚部４に生じる乗り越え抵抗が急激に失われる位置から始まることを特徴とする構成を有することにより、クリック機構の乗り越え突起３を乗り越え弾性脚部４が乗り越えクリック急回転を開始する乗り越え位置は、乗り越え突起又は乗り越え弾性脚部の形状や構成の如何に関わらず、乗り越え弾性脚部４に生じる乗り越え抵抗が急激に失われる位置から始まるから、その技術範囲内において、実施例の構造等に限定されることなく従来公知の種々のクリック機構を採用することができる。
【００４８】
また、本発明は、上記のクリックストップ機構を有する容器のキャップ装置において、前記乗り越え突起３を乗り越え弾性脚部４が乗り越えてキャップのクリック回転が終了する位置がネジ部のねじ込み終端位置である構成を有することにより、キャップのクリック回転が終了する位置がネジ部のねじ込み終端位置であることから、キャップのクリック回転が終了すると同時に、キャップの装着が完了し、密封機構の密封状態も得られることとなり、キャップを緩み無く装着することができることとなる。
【００４９】
また、本発明は、ネジ部のねじ込み終端位置において、容器開口９にキャップ天板１１が当接することを特徴とするクリックストップ機構を有する容器のキャップ装置を提供するものである。
ネジ部のねじ込み終端位置においては、前述の如く、クリック機構の乗り越え弾力によりキャップに強力な装着弾力が得られ、密封機構によりキャップの接触による密封状態が得られることとなるが、その密封段階で、容器開口９にキャップ天板１１が当接することによって、容器開口９も直接密封されることとなり、高い密封性が得られると共に、それ以上の無理なねじ込み操作を防止できる。なお、実施例の場合、開封前において 容器開口９にはアルミ箔等からなるシール材１２が溶着されているが、シール材１２を除去した使用状態において容器開口９にキャップ天板１１が当接するように構成してある。
【００５０】
また、本発明は、ネジ部のねじ込み終端位置において、容器肩部１３にキャップスカート部１４が当接することを特徴とするクリックストップ機構を有する容器のキャップ装置を提供するものである。
実施例の場合、キャップスカート部１４は前記キャップ内筒部２の外周に設けたキャップ外筒部１５に設けてあり、乗り越え突起３の下方に首部１６を介して設けた容器肩部１３の傾斜面に全周的に当接している。少ない回転数のワンタッチ感覚で装着又は離脱するように構成されたチューブ容器等のキャップのネジで、ピッチｐを大きくしネジの螺旋を少なくすると、容器開口頭部１０に対してキャップ２０にガタが生じ易くなるが、この場合、キャップ２０のねじ込み終端位置において容器肩部１３にキャップスカート部１４が当接することによって、キャップ２０が安定した装着状態を維持することとなる。
【００５１】
上記の実施例の構成において、容器胴部１７を持って、容器開口頭部１０のネジ部１にキャップ２０のキャップ内筒部２をねじ込むと、２０°乃至６０°程度の僅かな回転角度で乗り越え弾性脚部４の弾接片４ａが乗り越え突起３の緩斜面３ｂに当接し、軽い抵抗感を受ける。軽い抵抗感に抗して引き続き回転を続けると間もなく、弾接片４ａが頂部の平坦部３ａを乗り越え急斜面３ｃに落ち込むと同時に、容器密封部６にキャップ密封部７が圧接して密封が完了する。その時、同時若しくは直後に、容器開口９にキャップ天板部１１が当接し、容器肩部１３にキャップスカート部１４が当接する。これによって、キャップ２０は安定した密封状態を維持することとなる。
【００５２】
キャップのねじ込み装着の完了は、弾接片４ａが乗り越え突起の頂部の平坦部３ａを乗り越え、容器密封部６にキャップ密封部７が圧接して密封状態になったときに完了するのが基本であるが、同時に、容器開口９にキャップ天板部１１が当接し、容器肩部１３にキャップスカート部１４が当接する構成が好ましい。次に、容器からキャップを取り外すときは、直ちに弾性脚部４の弾接片４ａが乗り越え突起３の急斜面３ａに当接し、比較的強い抵抗感を受ける。この抵抗感に抗して回転を続けると直後に、弾接片４ａが頂部の平坦部３ａを乗り越え緩斜面３ｂに達すると同時に、容器密封部６からキャップ密封部７が離脱し、キャップも容器から離脱することとなる。
なお、キャップは乗り越え弾性脚部４やキャップ密封部７等の弾力性を有する部分を具備する関係上、弾力性を有するプラスチック製であることが好ましいが、相手の容器開口頭部１０はプラスチック以外のガラス製やアルミ合金製であっても勿論よい。
【００５３】
【発明の効果】
以上の通り、本発明にかかるクリックストップ機構を有する容器のキャップ装置によれば、容器開口頭部の外周ネジ部にキャップ内筒部の内周ネジ部が螺合し、前記ネジ部のねじ込み終端位置においてキャップのねじ込み装着が完了する容器のキャップ装置において、前記ネジ部のねじ込み終端位置のねじ込み前位置に容器開口頭部の乗り越え突起をキャップ内筒部の乗り越え弾性脚部が乗り越えるクリック機構を設ける一方、容器開口頭部の外周に設けた容器密封部とキャップ内筒部に設けたキャップ密封部とが密封状態で接触する密封機構を設けた構成を有することにより、容器開口頭部にキャップをねじ込むと、ネジ部のねじ込み終端位置の前位置において、クリック機構を構成する容器開口頭部の乗り越え突起をキャップ内筒部の乗り越え弾性脚部が乗り越えることにより、乗り越え弾性力によってキャップに強力な装着弾力が得られ、ネジの緩みを防止することができると共に、クリック急回転によりねじ込み完了を確認する感触が得られ、確実なキャップの装着を確信することができ、且つ、キャップを過剰に締め付けるのを防止することができる一方、クリック作動と同時に、本発明の密封機構を構成する容器開口頭部の外周に設けた容器密封部とキャップ内筒部に設けたキャップ密封部とが密封状態で接触することにより、充分な密封性が得られる効果がある。
【００５４】
したがって、使用者は、６０°以下とか９０°以下と言うような、少ない回転数のワンタッチ感覚で装着が完了し、又は離脱することに満足感が得られ、快適なキャップの着脱感を得ることができると共に、そのように構成されたチューブ容器等のキャップのネジで、ピッチｐを大きくして少ない回転で着脱を容易にした場合であっても、クリック機構の乗り越え弾力を受けて接触し密封状態を維持する密封機構により、キャップには充分な密封性が得られることとなり、また、ネジの緩みも防止することができる効果がある。
また、ネジ部のねじ込み終端部において、容器開口と天板部に隙間が生じていたとしても、クリック機構の乗り越え弾力を受けて接触し密封状態を維持する密封機構により、キャップには充分な密封性が得られることとなり、容器開封前に容器開口部に貼着されていたシールを使用時に除去した場合や、キャップ内天板部のシール材を外した場合等にも、充分な密封性が得られ、キャップの密封信頼性を高めることができる効果がある。
【００５５】
また、本発明は、請求項１に記載のクリックストップ機構を有する容器のキャップ装置において、クリック機構を構成する容器開口頭部の乗り越え突起が、容器開口頭部の外周ネジ部の下方に設けてあると共に、キャップ内筒部の乗り越え弾性脚部がキャップ内筒部の内周ネジ部の下方に設けてある構成を有することにより、乗り越え弾性脚部をキャップ内筒部の内周ネジ部下方のスカート部側に設けることができるから、請求項１の記載においてクリック機構を構成する乗り越え突起が、容器開口頭部の外周ネジ部の上方に設け、乗り越え弾性脚部がキャップ内筒部の内周ネジ部の上方内奥に設けてある構成に比較して、キャップの製作を容易に行うことができる効果がある。
【００５６】
また、本発明は、請求項１又は２に記載のクリックストップ機構を有する容器のキャップ装置において、密封機構を構成する容器開口頭部の外周に設けた容器密封部が容器開口頭部の外周ネジ部の上方に設けてあると共に、キャップ内筒部に設けたキャップ密封部がキャップ内筒部の内周ネジ部の上方に設けてある構成を有することにより、請求項１又は２に記載のクリックストップ機構を有する容器のキャップ装置において、密封機構を構成するには、容器開口頭部の外周の容器密封部に対して、キャップ内筒部に設けたキャップ密封部が密着するようにやや狭く構成することによって成立するのであるが、請求項１又は２に記載のクリック機構において容器密封部を外周ネジ部の下方に設ける場合には、キャップ内筒部の内周ネジ部の下方に設けたキャップ密封部の内径は容器外周ネジ部の外径より大きくする必要が生じるのに対して、容器密封部及びキャップ密封部をネジ部の上方に設ける場合には、キャップ密封部の内径は容器外周ネジ部の外径より適宜小さく構成でき、従って、容器頭部外周ネジ部の上方に設けた容器密封部の外径も対応して小さく構成することができることとなり、本発明の必要十分条件を満たした小型軽量の合理的な構成にすることができる効果がある。
【００５７】
また、本発明は、請求項１、２又は３に記載のクリックストップ機構を有する容器のキャップ装置において、クリック機構の乗り越え突起が、乗り越え手前側は突起頂部に向かう比較的緩やかな傾斜面からなり、頂部から先は比較的急な傾斜面からなる構成を有することにより、容器開口頭部の乗り越え突起をキャップ内筒部の乗り越え弾性脚部が装着時に乗り越えるときには、乗り越え手前側から突起頂部に向かう比較的緩やかな傾斜面により比較的円滑に乗り越えることができ、乗り越え時には急な傾斜面でクリック急回転し軽快なクリック感が得られ、装着後には急な傾斜面により確実な締め付けトルクが得られ、また、キャップを離脱する方向に逆回転するときには、急な傾斜面により比較的強い回転抵抗を受け、キャップの緩み止めが確実になされ、更に、キャップを離脱するときには急な傾斜面によるクリック急回転を伴って、ワンタッチ式に一気にキャップを離脱することができる効果がある。
【００５８】
また、本発明は、請求項１、２、３又は４に記載のクリックストップ機構を有する容器のキャップ装置において、クリック機構の乗り越え突起が、乗り越え手前側は突起頂部に向かう傾斜面からなり、頂部から先は急激に落ち込む急斜面からなる構成を有することにより、キャップ着脱に伴う突起乗り越え時のクリック急回転によるクリック感と、装着後の急な傾斜面による確実な締め付けトルクと、キャップの緩み止めと、ワンタッチ式の着脱感等を、より際だたせることができる効果がある。
【００５９】
また、本発明は、請求項１乃至５のいずれかに記載のクリックストップ機構を有する容器のキャップ装置において、クリック機構の乗り越え突起の頂部に平坦部が設けてある構成を有することにより、クリック機構の乗り越え突起の頂部に設けた平坦部によって、突起を乗り越えてからのクリック回転の距離を大きく取ることができるから、ネジ部の締め付け距離が大きくなる分だけ締め付けトルクを増大することができるのみならず、平坦部において乗り越え抵抗の無くなったところから密封機構における容器密封部とキャップ密封部との接触可能な範囲を広く取ることができるから、乗り越え抵抗と密封接触抵抗を重ならないようにしてクリック機構と密封機構との重なりによるキャップの回転抵抗を軽減しキャップの回転を円滑にすることができると共に、両密封部の密封接触可能範囲の増大により密封機能を確実にすることができる効果がある。
【００６０】
また、本発明は、請求項１乃至６のいずれかに記載のクリックストップ機構を有する容器のキャップ装置において、ねじ込み終端位置において、容器開口頭部の外周に設けた容器密封部とキャップ内筒部に設けたキャップ密封部とが密封状態で接触する密封機構を設けた構成を有することにより、キャップがクリック機構によりクリック急回転してねじ込み終端位置に到達したとき密封機構が密封状態になるから、密封機能とクリックストップ機能とが合致した理想的な容器のキャップ装置を提供することができる効果がある。
【００６１】
また、本発明は、請求項１乃至７のいずれかに記載のクリックストップ機構を有する容器のキャップ装置において、前記乗り越え突起を乗り越え弾性脚部が乗り越える乗り越え位置からねじ込み終端位置に至る間のクリック回転完了位置において、容器開口頭部の外周に設けた容器密封部とキャップ内筒部に設けたキャップ密封部とが密封状態で接触する密封機構を設けた構成を有することにより、乗り越え突起を乗り越え弾性脚部が乗り越える乗り越え位置からねじ込み終端位置に至る間のクリック回転完了位置において、密封機構の密封部が密封状態になることから、ねじ込み終端位置までねじ込まないでクリック回転終了位置を以てキャップの締め付け操作を完了したと判断してそれ以上締め付けない場合においても、クリックストップで密封状態を確保することができる効果がある。
【００６２】
また、本発明は、請求項１乃至８のいずれかに記載のクリックストップ機構を有する容器のキャップ装置において、前記乗り越え突起を乗り越え弾性脚部が乗り越える乗り越え位置からねじ込み終端位置に至る区間の間、容器開口頭部の外周に設けた容器密封部とキャップ内筒部に設けたキャップ密封部とが密封状態で接触する密封機構を設けた構成を有することにより、乗り越え突起を乗り越え弾性脚部が乗り越える乗り越え位置からねじ込み終端位置に至る区間の間、いずれの位置においても密封機構の密封部が密封状態に維持されることから、クリック機構によるクリック回転完了後のキャップの位置に関わりなく密封状態が維持される効果がある。
【００６３】
また、本発明は、請求項１乃至９のいずれかに記載のクリックストップ機構を有する容器のキャップ装置において、ねじ込み終端位置からキャップを逆回転して前記乗り越え突起を乗り越え弾性脚部が逆に乗り越える位置までの間、容器開口頭部の外周に設けた容器密封部とキャップ内筒部に設けたキャップ密封部とが密封状態で接触する密封機構を設けた構成を有することにより、ねじ込み終端位置からキャップを逆回転して前記乗り越え突起を乗り越え弾性脚部が逆に乗り越える位置までの間、いずれの位置においても密封機構の密封部が密封状態に維持されることから、請求項１０の構成の場合と同様に、クリック機構によるクリック回転完了後のキャップの位置に関わりなく、逆回転移動したとしてもクリック機構を乗り越えて離脱しない限り密封状態が維持されることとなる。
【００６４】
また、本発明は、請求項１乃至１０のいずれかに記載のクリックストップ機構を有する容器のキャップ装置において、クリック機構の前記乗り越え突起を乗り越え弾性脚部が乗り越える乗り越え位置が、乗り越え突起をその頂部に向かって登ることにより乗り越え弾性脚部に生じる乗り越え抵抗が急激に失われる位置から始まることを特徴とする構成を有することにより、クリック機構の乗り越え突起を乗り越え弾性脚部が乗り越えクリック急回転を開始する乗り越え位置は、乗り越え突起又は乗り越え弾性脚部の形状や構成の如何に関わらず、乗り越え弾性脚部に生じる乗り越え抵抗が急激に失われる位置から始まるから、その技術範囲内において、実施例の構造等に限定されることなく従来公知の種々のクリック機構を採用することができる効果がある。
【００６５】
また、本発明は、請求項１乃至１１のいずれかに記載のクリックストップ機構を有する容器のキャップ装置において、前記乗り越え突起を乗り越え弾性脚部が乗り越えてキャップのクリック回転が終了する位置がネジ部のねじ込み終端位置であることを特徴とする構成を有することにより、キャップのクリック回転が終了する位置がネジ部のねじ込み終端位置であることから、キャップのクリック回転が終了すると同時に、キャップの装着が完了し、密封機構の密封状態も得られることとなり、キャップを緩み無く装着することができる効果がある。
【００６６】
また、本発明は、請求項１乃至１２のいずれかに記載のクリックストップ機構を有する容器のキャップ装置において、ネジ部のねじ込み終端位置において容器開口にキャップ天板が当接する構成を有することにより、ネジ部のねじ込み終端位置において、クリック機構の乗り越え弾力によりキャップに強力な装着弾力が得られ、密封機構によりキャップの接触による密封状態が得られた段階で、容器開口にキャップ天板が当接することによって、容器開口も直接密封されることとなり、高い密封性が得られると共に、それ以上の無理なねじ込み操作を防止できる効果がある。
【００６７】
また、本発明は、請求項１乃至１３のいずれかに記載のクリックストップ機構を有する容器のキャップ装置において、ネジ部のねじ込み終端位置において容器肩部にキャップスカート部が当接することを特徴とする構成を有することにより、少ない回転数のワンタッチ感覚で装着又は離脱するように構成されたチューブ容器等のキャップのネジで、ピッチｐを大きくしネジの螺旋を少なくすると、容器開口頭部に対してキャップにガタが生じ易くなるが、この場合、キャップのねじ込み終端位置において容器肩部にキャップスカート部が当接することによって、キャップが安定した装着状態を維持する効果がある。
【００６８】
また、本発明は、請求項１乃至１４のいずれかに記載のクリックストップ機構を有する容器のキャップ装置において、容器開口頭部の外周に設けた容器密封部とキャップ内筒部に設けたキャップ密封部とのいずれか一方が相手方よりも曲率の小さい凸状面で相手方に突出して密封状態で接触する密封機構を設けたことを特徴とする構成を有することにより、密封機構の容器密封部とキャップ密封部とのいずれか一方が相手方よりも曲率の小さい凸状面で相手方に突出して密封状態で接触することにより、曲率の大きい面と面が大きな接触面と接触抵抗で接触する場合に比較して、曲率の小さい凸状面が相手方に突出して小さな接触面による小さな抵抗値で確実且つ円滑に接触することができ、且つ、自ら又は相手方が弾性的に変形し易い形状であるから、寸法誤差等を吸収して密着状態で接触することが容易にできると共に、相手方の接触面積幅の大小、起伏に対応した密封状態が得られる効果がある。
【００６９】
また、本発明は、請求項１乃至１５のいずれかに記載のクリックストップ機構を有する容器のキャップ装置のネジ部が多条ネジであることを特徴とする構成を有することにより、多条ネジにすることによって、ネジのピッチｐを大きくしネジの螺旋を少なくし、少ない回転数のワンタッチ感覚で装着又は離脱するように構成することができると共に、多条にした分だけ螺合の機会が増えて装着に要する空転角度を小さくすることができ、また、容器開口頭部とキャップとのネジ部が多条状態で当接することによって安定した嵌合状態を得ることができる効果がある。
【００７０】
また、本発明は、請求項１乃至１６のいずれかに記載のクリックストップ機構を有する容器のキャップ装置において、キャップのねじ込み装着が回転角度３６０°以内の角度で完了することを特徴とする構成を有することにより、キャップのねじ込み装着が回転角度３６０°以内の角度で完了することによって、キャップ装置を少ない回転数のワンタッチ感覚で装着又は離脱するように構成することができる効果がある。
【００７１】
また、本発明は、請求項１乃至１７のいずれかに記載のクリックストップ機構を有する容器のキャップ装置において、容器開口頭部の外周ネジ部にキャップのねじ込み装着が回転角度１８０°以内の角度で完了する２条の多条ネジを成形金型のパーテイ線を間に挟んで設けてなる構成を有することにより、２条の多条ネジを成形金型のパーテイ線を間に挟んで設けて、容器開口頭部の外周ネジ部のネジ山及びネジ溝にパーテイ線が付されないから、表面が円滑なネジ部を容易に成形できると共に、型離れが良好な成形が可能となる効果がある。
【００７２】
また、本発明は、請求項１６、１７又は１８に記載のクリックストップ機構を有する容器のキャップ装置において、容器開口頭部の外周ネジ部の２条の多条ネジに対してキャップ内筒部の内周ネジ部が４条からなることを特徴とする構成を有することにより、容器開口頭部の外周ネジ部の２条の多条ネジに対してキャップ内筒部の内周ネジ部が４条からなるから、それだけ少ないキャップの回転角度で、両者が係合する機会が生じることとなると共に、係合後において、容器開口頭部の外周ネジ部に４条のネジ山が当接してキャップのガタツキを防止し安定した係合状態を得られる効果がある。
【００７３】
また、本発明は、請求項１６、１７、１８又は１９に記載のクリックストップ機構を有する容器のキャップ装置において、容器開口頭部の外周ネジ部の２条の多条ネジに対して成形金型のパーテイ線上に外周ネジ部の一部となる突起状ネジ部を設けたことを特徴とする構成を有することにより、成形金型のパーテイ線上に他の２条の外周ネジ部の一部となる突起状の部分ネジ部を設けたから、キャップ側に設けた４条ネジと４条ネジとして交合し、ガタを防止することができると共に、表面が円滑なネジ部を容易に成形でき、パーテイ線を境に型離れの良好な成形ができる効果がある。
【００７４】
また、本発明は、請求項１乃至２０のいずれかに記載のクリックストップ機構を有する容器のキャップ装置において、クリック機構を構成する容器開口頭部の乗り越え突起にキャップ内筒部の乗り越え弾性脚部が当接してからねじ込み終端位置に至る間のみ容器開口頭部の外周ネジ部にキャップ内筒部の内周ネジ部が螺合することを特徴とする構成を有することにより、キャップ装着時に、クリック機構を構成する乗り越え突起に乗り越え弾性脚部が当接するところからネジ部が螺合してクリック機構を乗り越えねじ込み終端位置に至り装着を完了し、逆にキャップ離脱時には、ネジ部の螺合によりクリック機構を乗り越えたところでキャップが離脱することとなるから、キャップのネジによる着脱はクリック機構の乗り越え区間のみに限定されることとなり、キャップの着脱回転と係合ネジ部を最小限に構成でき、キャップをそれだけワンタッチ感覚で着脱することができる効果がある。
【００７５】
また、本発明は、請求項１乃至２１に記載のクリックストップ機構を有する容器のキャップ装置において、乗り越え弾性脚部が所定間隔毎にスリットを設けた弾接片を有する複数の弾性脚片からなることを特徴とする構成を有するから、乗り越え弾性脚部が所定間隔毎にスリットを設けた弾接片を有する複数の弾性脚片からなることにより、容器開口頭部の乗り越え突起を大きく長く設定しても弾性脚片が大きく変形して対応することができ、乗り越え弾性脚部の乗り越え幅Ｗを比較的大きく自由に取ることができ、乗り越え弾性力によってキャップに強力な装着弾力が得られ、ネジの緩みを防止することができると共に、ねじ込み完了を確認する感触が確実に得られ、且つ乗り越え移動時に、本発明の密封機構を構成する容器密封部とキャップ密封部との接触幅を増大して円滑、確実な密封性が得られる効果がある。
【００７６】
また、本発明は、請求項１乃至２２のいずれかに記載のクリックストップ機構を有する容器のキャップ装置において、キャップ内筒部の乗り越え弾性脚部に対して容器開口頭部の乗り越え突起が弾性変形可能な弾性変形部材からなることを特徴とする構成を有することにより、キャップ内筒部の乗り越え弾性脚部に対して弾性変形部材からなる容器開口頭部の乗り越え突起が弾性変形することにより、弾性脚部が円滑に乗り越え突起を乗り越えることができる効果がある。
【００７７】
また、本発明は、請求項１乃至２３のいずれかに記載のクリックストップ機構を有する容器のキャップ装置において、キャップ内筒部の乗り越え弾性脚部に対して容器開口頭部の乗り越え突起が、硬質合成樹脂、ガラス、金属等の硬質の部材からなることを特徴とする構成を有することにより、硬質合成樹脂容器、ガラス容器や、アルミニュウム合金等の金属容器のように、容器開口頭部の乗り越え突起が滑り易い硬質の部材からなることにより、キャップ内筒部の乗り越え弾性脚部が弾性変形して円滑に乗り越え突起を乗り越えることができる効果がある。
【００７８】
また、本発明は、請求項１乃至２４のいずれかに記載のクリックストップ機構を有する容器のキャップ装置において、密封機構のキャップ密封部に対して容器密封部が、硬質合成樹脂、ガラス、金属等の硬質の部材からなる構成を有することにより、硬質合成樹脂容器、ガラス容器や、アルミニュウム合金等の金属容器のように、密封機構の容器密封部が滑り易い硬質の部材からなることにより、キャップ密封部が弾性変形して円滑に密着し密封状態を維持する効果がある。
【図面の簡単な説明】
【図１】    本発明装置の一実施例の要部を縦断して示す縦断正面図。
【図２】    図１の実施例の要部の概略側面図。
【図３】    図１の実施例の他の要部の概略縦断図。
【図４】    本発明装置の一実施例の要部を展開して示す説明図。
【図５】    本発明装置の他の実施例の要部を縦断して示す縦断正面図。
【図６】    図５の実施例の要部の概略側面図。
【図７】    本発明装置の他の実施例の要部を縦断して示す縦断正面図。
【図８】    図７の実施例の要部を展開して示す説明図。
【符号の説明】
１      容器開口頭部のネジ部
１Ａ、１Ｂ      ネジ山
１Ｃ、１Ｄ      部分ネジ部
１ａ、１ｂ      ネジ溝
２      キャップ内筒部
２Ａ、２Ｂ、２Ｃ、２Ｄ      ネジ山
２ａ、２ｂ、２ｃ、２ｄ      ネジ溝
３      乗り越え突起
３ａ    頂部の平坦部
３ｂ    緩斜面
３ｃ    急斜面
４      乗り越え弾性脚部
４ａ    弾接片
４ｂ    弾性脚片
５      スリット
６      容器密封部
７      キャップ密封部
９      容器開口
１０    容器開口頭部
１１    キャップ天板
１２    シール材
１３    容器肩部
１４    キャップスカート部
１５    キャップ外筒部
１６    首部
１７    容器胴部
２０    キャップ
Ｅ      密封幅
Ｗ      平坦部幅
Ｐ      パーテイ線
【図１】
0004430748.tif 000002
【図２】
0004430748.tif 000003
【図３】
0004430748.tif 000004
【図４】
0004430748.tif 000005
【図５】
0004430748.tif 000006
【図６】
0004430748.tif 000007
【図７】
0004430748.tif 000008
【図８】
0004430748.tif 000009